(57)【要約】  本発明は、物体までの距離を測定するためのシステムに関する。このシステムは、不連続のレーザ光のスポットのパターンを、パルスのシーケンスで物体に向けて投射するための固体光源と、複数の画像素子を含み、上記パルスと同期して、物体によって反射された不連続のスポットのパターンを表わす光を検出するための検出器と、上記画像素子によって生成された露出値に応じて、物体までの距離を算出するための処理手段とを備える。画像素子は、上記シーケンスの各パルスについて、第１の時間ウィンドウの期間中に上記物体によって反射された第１の光量を表わす第１の電荷量と、上記第１の時間ウィンドウの後に起こる第２の時間ウィンドウの期間中に上記物体によって反射された第２の光量を表わす第２の電荷量と、を蓄積することによって露出値を生成するように構成されている。
2018531374.tif 000002
【特許請求の範囲】
【請求項１】
物体までの距離を測定するためのシステム（２００）であって、
−  不連続のレーザ光のスポットのパターンを、周期的に繰返されるパルスのシーケンスで前記物体に向けて投射するように配置された固体光源（２１０）と、
−  複数の画像素子を含み、前記パルスのシーケンスと同期して、前記物体によって反射された前記不連続のスポットのパターンを表わす光を検出するように構成された検出器（２２０）と、
−  前記検出された光に応答して前記画像素子によって生成された露出値に応じて、前記物体までの前記距離を算出するように構成された処理手段（２４０）とを備え、
前記画像素子（２２０）は、前記シーケンスのパルスのうちのすべてについて、第１の予め定められた時間ウィンドウ（１０）の期間中に前記物体によって反射された第１の光量を表わす第１の電荷量と、前記第１の予め定められた時間ウィンドウ（１０）の後に起こる第２の予め定められた時間ウィンドウ（２０）の期間中に前記物体によって反射された第２の光量を表わす第２の電荷量と、を蓄積することによって前記露出値を生成するように構成されている、システム。
【請求項２】
前記第１の予め定められた時間ウィンドウおよび前記第２の予め定められた時間ウィンドウは実質的に継続時間が等しく、かつ連続して起こる、請求項１に記載のシステム。
【請求項３】
前記複数の画像素子の各々は少なくとも２つの電荷ストレージウェルを含み、
前記第１の光量の検出および前記第２の光量の検出は、前記少なくとも２つの電荷ストレージウェルのうちのそれぞれの電荷ストレージウェルで行なわれる、請求項１または２に記載のシステム。
【請求項４】
請求項１から３のいずれか１項に記載のシステム（１００）を備える車両であって、
前記車両は、当該車両を取囲むエリアのうちの少なくとも一部を動作可能にカバーするように配置されている、車両。
【請求項５】
請求項１から３のいずれか１項に記載のシステム（１００）を備えるカメラであって、
前記システム（１００）は、前記システムから得られた情報に基づいてカメラ画像に３次元情報を付加することによって、３次元画像を作成することを可能にするように適合されている、カメラ。
【請求項６】
物体までの距離を測定するための方法であって、
−  固体光源（２１０）を用いて、不連続のレーザ光のスポットのパターンを、周期的に繰返されるパルスのシーケンスで前記物体に向けて投射するステップ（１１０）と、
−  複数の画像素子を含む検出器（２２０）を用いて、前記パルスのシーケンスと同期して、前記物体によって反射された前記不連続のスポットのパターンを表わす光を検出するステップ（１２０；１３０）と、
−  前記検出された光に応答して前記画像素子によって生成された露出値に応じて、前記物体までの前記距離を算出するステップ（１４０）とを含み、
前記画像素子（２２０）は、前記シーケンスのパルスのうちのすべてについて、第１の予め定められた時間ウィンドウ（１０）の期間中に前記物体によって反射された第１の光量を表わす第１の電荷量と、前記第１の予め定められた時間ウィンドウ（１０）の後に起こる第２の予め定められた時間ウィンドウ（２０）の期間中に前記物体によって反射された第２の光量を表わす第２の電荷量と、を蓄積することによって前記露出値を生成する、方法。
【請求項７】
前記第１の予め定められた時間ウィンドウおよび前記第２の予め定められた時間ウィンドウは実質的に継続時間が等しく、かつ連続して起こる、請求項６に記載の方法。
【請求項８】
前記複数の画像素子の各々は少なくとも２つの電荷ストレージウェルを含み、
前記第１の光量の検出および前記第２の光量の検出は、前記少なくとも２つの電荷ストレージウェルのうちのそれぞれの電荷ストレージウェルで行なわれる、請求項６または７に記載の方法。
【請求項９】
前記投射するステップ（１１０）、前記検出するステップ（１２０；１３０）、および前記算出するステップ（１４０）は周期的に繰返される、請求項６から８のいずれか１項に記載の方法。
【請求項１０】
プロセッサに、請求項６から９のいずれか１項に記載の方法を実行させるように構成されたコード手段を含むコンピュータプログラム製品。
【発明の詳細な説明】
【技術分野】
【０００１】
発明の分野
本発明は、物体までの距離を測定するためのシステムの分野に関し、特に、光景またはその一部の特徴付けに用いられる飛行時間ベースの検知システムに関する。
【背景技術】
【０００２】
背景
遠隔検知技術の分野、主に、多くの制御用途およびナビゲーション用途（限定はされないが、例えば自動車環境および工業環境、ゲーム用途、および地図用途など）で用いられる高分解能の周辺地図の製作の用途において、飛行時間ベースの検知を用いて、センサからの物体の距離を測定することが知られている。飛行時間ベースの技術は、ＲＦ変調ソース、距離ゲート撮像装置、および直接飛行時間型（ＤＴｏＦ：direct time-of-flight）撮像装置の使用を含む。ＲＦ変調ソースおよび距離ゲート撮像装置を用いるためには、対象の光景全体を、変調ソースまたはパルスソースで照射することが必要である。たいていのＬＩＤＡＲなどの直接飛行時間型システムは、パルスビームで関心領域を機械的にスキャンし、その反射をパルス検出器で検知する。
【０００３】
放出されたＲＦ変調信号を検出された反射信号に相関させることを可能にするためには、放出された信号は多数の制約条件を満たさなければならない。実際にはこれらの制約条件により、ＲＦ変調システムは、車両用システムとして用いるには極めて非実用的であることが分かった。というのは、従来の安全性限界の範囲内かつ通常の車両のパワーバジェットの範囲内の信号強度の場合、達成可能な検出範囲が非常に限られる。
【０００４】
たいていのＬＩＤＡＲシステムに使用される直接飛行時間型（ＤＴｏＦ）撮像装置は、強力なパルスレーザ（ナノ秒パルス方式で動作する）と、１次元の点の測定から３次元のマップを得るための機械的スキャンシステムと、パルス検出器とを含む。このタイプのシステムは、ベロダイン・ライダー（Velodyne Lidar）（カリフォルニア、モーガンヒル）を含む供給業者から現在入手可能である。最新式システムの一例としてのベロダインのＨＤＬ−６４Ｅは、毎秒５回転〜１５回転で機械的に回転する構造の６４個の高出力レーザおよび６４個の検出器（アバランシェダイオード）を使用する。これらのＤＴｏＦ  ＬＩＤＡＲシステムが必要とする光パワーは非常に高いため、パワーの範囲が５桁〜６桁低い半導体レーザでは得ることができない。さらに、スキャンするために機械的に回転する要素を使用することにより、このタイプのシステムの小型化、信頼性、およびコスト削減の可能性が制限される。
【０００５】
トリルミナ（Trilumina）名義である米国特許出願公開ＵＳ２０１５／００６３３８７号には、パルス幅が２０ナノ秒であるパルスで合計５０ｍＷのエネルギを送出するＶＣＳＥＬが開示されている。市販されているＯｐｔｅｋ  ＯＰＶ３１０  ＶＣＳＥＬは、継続時間が１０ナノ秒であるパルスで合計６０ｍＷのエネルギを送出し、当該ＶＣＳＥＬは、外挿により、１００ｍＷの最大光出力パワーを有するものと推定され得る。この値は非常に厳格な動作条件、すなわち、熱的問題による不安定さを回避するような最適なデューティサイクルおよび短いパルス幅という条件の下でのみ実現されるものである。トリルミナの開示およびＯｐｔｅｋシステムがともに示しているのは、連続波ＶＣＳＥＬシステムが、本来的にＶＣＳＥＬ設計に関連した熱的制約に起因する、光学的ピークパワー出力についての物理的限界に達するということである。これらのパルスエネルギレベルで、ＤＴｏＦ用途で現在使用されるナノ秒パルスを用いると、１２０ｍ離れた物体によって有用に反射されることが見込まれ得る光子の純粋な数は非常に少ないため、ＣＭＯＳアレイ、またはＣＣＤアレイ、またはＳＰＡＤアレイなどの従来の半導体センサによる検出が無効になる。したがって、公知のＤＴｏＦシステムの範囲を広げるために必要になるであろう５桁分または６桁分のＶＣＳＥＬパワー出力の増大は物理的に不可能である。
【０００６】
いくつかの反射された光子を取込むのに理論上は十分な感度のアバランシェダイオード（ＡＤまたはＳＰＡＤ）を使用したとしても、公知のＬＩＤＡＲシステムアーキテクチャでは有益に機能させることができない。ＳＰＡＤアレイの固体の実現例は、順次読出さなければならない。所望の精度を達成するためには、多数のＳＰＡＤが必要とされる。固体の実現例は、順次読出しという制約によってシステムの帯域幅が制限されるため、所望の精度を得るには不適当である。ベロダインのシステムのような精度（距離にかかわらず０．０２ｍ〜０．０４ｍ）を得るために必要な読出しデータレートは、今日のＩＣ実現例で実際的に達成可能な帯域幅を超えるものである。１２０ｍでの動作の場合、５００画素×５００画素のＳＰＡＤアレイが必要とされ、ＩＣベースの実現例では順次読出さなければならない。上述のベロダインのシステムと同じ精度を得るためには、１ミリ秒につき１０００パルス、したがって１ミリ秒につき１０００フレーム（毎秒２５０ギガピクセルの読出しレートに換算される）が必要であろう。これは、現在のＳＰＡＤ  ＩＣ技術の文脈では技術的に実施不可能であると考えられる。
【０００７】
ニール・イー・ニューマン（Neil E. Newman）らによる論文「短距離ＬＩＤＡＲの使用における高ピークパワーのＶＣＳＥＬ（“High Peak Power VCSELs in Short Range LIDAR Applications”）」（Journal of Undergraduate Research in Physics,2013, http://www.jurp.org/2013/12017EXR.pdf）には、ＶＣＳＥＬベースのＬＩＤＡＲの使用について記載されている。広視野ＬＩＤＡＲを０．７５ｍよりも大きな範囲で行なうには、記載されているプロトタイプシステムの最大出力パワーは不十分であったことが、上記論文に述べられている。著者らは、比較的集束したビーム（１ｍの距離で０．０２ｍのスポットサイズ）を用いた場合に、最大１ｍ離れた対象物体の距離を測定することができた。
【０００８】
公知のＬＩＤＡＲシステムの動作が自動車用途において実用に供されるために必要なパワー必要条件（例えば、最大１２０ｍの範囲）は、現在の半導体レーザによって放出された光パワーでは満たすことができないことを、上記の例は明らかに示している。
【０００９】
アバゴ・テクノロジーズ・ジェネラル・アイピー（シンガポール）プライベート・リミテッド（Avago Technologies General IP (Singapore) Pte. Ltd.）名義である米国特許第７，５４４，９４５号には、より小型であり、かつ費用効果の高いＬＩＤＡＲ機能を提供するための、複数のレーザを用いた車両ベースのＬＩＤＡＲシステムおよび方法が開示されている。レーザアレイにおける各レーザが順次アクティブにされることによって、レーザアレイに対応する搭載光学素子は、実質的に方向が異なるそれぞれの呼びかけビーム（interrogation beams）を生成することができる。これらのビームからの光が車両の周囲の物体によって反射され、検出されることによって、物体に関する情報が車両の運転者および／または乗客に提供される。当該特許は、公知のＤＴｏＦのＬＩＤＡＲシステムにおける公知の機械的スキャンの代わりに、個々のレーザを連続的にアクティブにする固体プロジェクタを提供する。
【００１０】
飛行時間型検出を使用しない、車両用の高精度の中距離周囲検知システムが、本願出願人の名義である国際特許出願公開ＷＯ２０１５／００４２１３Ａ１から公知である。当該公報では、物体の位置測定は、パルス状照射線スポットを投射し、予め定められた基準スポット位置を参照して検出スポットの変位を分析することに基づいて行なわれる。より特定的には、当該引用公報のシステムは三角測量を用いる。しかしながら、達成可能な精度は三角測量のベースに相関するため、達成可能なさらなる小型化が制限される。
【００１１】
米国特許出願公開ＵＳ２０１２／００３８９０３Ａ１には、光景の照射を順応的に制御するための方法およびシステムが開示されている。特定的には、光景が照射され、光景から反射された光が検出される。光景における異なるエリアに対応するマルチ画素検出器の異なる画素によって受信された光強度のレベルに関する情報、および／または、光景におけるエリアまでの距離に関する情報が受信される。当該情報は、光景における照射のレベルを制御するためのフィードバック信号として用いられる。より特定的には、光景の異なるエリアには、フィードバック信号に応答して異なる照射レベルが与えられる。
【００１２】
欧州特許出願公開ＥＰ２３２２９５３Ａ１には、距離分解能を低下させることなく、距離測定範囲を拡大させることが可能な距離画像センサが開示されている。照射源が、時間軸上に順番に配置された第１〜第５のフレームの照射パルスとして、物体に照射される第１〜第５のパルス列を提供する。各フレームにおいて、撮像時間が、各フレームの開始点から予め定められた時間の点で規定されている。また、パルスは、第１のから第５のフレームの開始点から、それぞれ互いに異なるずれ量だけずれている。画素アレイは、５つのフレームの各々における撮像ウィンドウＡおよびＢを用いて、各々が互いに異なる距離範囲内の物体の距離情報を有する要素画像信号を生成する。処理ユニットは、要素画像信号を組合わせることによって画像信号を生成する。５つの飛行時間型測定が用いられるので、広い距離範囲にある物体の距離情報を得るために照射パルスの幅を増大させる必要がなく、距離分解能が低下しない。
【００１３】
欧州特許出願公開ＥＰ２２９０４０２Ａ１には、距離画像センサが開示されている。この距離画像センサは、２次元配置された複数のユニットからなる撮像領域を有する半導体基板上に設けられているため、ユニットから出力された電荷量に基づいて距離画像を得ることができる。ユニットのうちの１つには、入射光に応答して電荷が発生する電荷発生領域（転送電極の外側の領域）と、電荷発生領域からの電荷を収集するための、空間的に隔てられて配置された少なくとも２つの半導体領域３と、各半導体領域３の周囲に取付けられ、位相の異なる電荷転送信号が与えられ、半導体領域３を取囲む転送電極５と、が設けられている。
【００１４】
川人祥二（Shoji Kawahito）らによる論文「ゲートオンフィールド酸化膜構造を用いたＣＭＯＳ飛行時間法距離画像センサ（“A CMOS Time-of-Flight Range Image Sensor With Gates-on-Field-Oxide Structure”）」（ＩＥＥＥセンサージャーナル（IEEE Sensors Journal）、ｖｏｌ．７、Ｎｏ．１２、１５７８頁〜１５８６頁）には、光変換および電荷転送のための、フィールド酸化膜構造上の単層ゲートを用いたＣＭＯＳ飛行時間型（ＴＯＳ）距離画像センサの一種が開示されている。この構造は、標準ＣＭＯＳ処理で、１５×１５μｍ２画素を有する高密度のＴＯＦ距離撮像アレイの実現を可能にする。高速の電荷転送のために必要なｎ型埋め込み層を作製するための追加の処理ステップのみが、製造工程に追加される。センサは、アクティブな照射光源からの赤外光パルスが反射して戻ることによって生じた光電荷の時間遅延依存変調に基づいて動作する。背景光の影響を減少させるために、小さなデューティサイクルの光パルスが用いられ、電荷排出構造が画素に含まれる。製造されたＴＯＦセンサチップは、１００ナノ秒のパルス幅で、毎秒３フレームで０．７４ｃｍの距離分解能を改良して、毎秒３０フレームで２．３５ｃｍの距離分解能を測定する。
【００１５】
複雑な車両周囲検知の用途、例えば、ＡＤＡＳ（自動運転補助システム）の用途および自動運転の用途などにおいて、極度の小型化、および／または、より長い距離を実現することが継続して求められており、しかも手頃なコストで、かつ、小型の半導体集積フォームファクタで実現することが求められている。
【発明の概要】
【発明が解決しようとする課題】
【００１６】
発明の概要
本発明の実施形態の目的は、変位ベースの車両周囲検知システムの代わりに、さらに小型で長距離の代替手段を提供することである。さらに、本発明の実施形態の目的は、公知のＬＩＤＡＲシステムの代わりに完全固体の代替手段を提供することである。
【課題を解決するための手段】
【００１７】
本発明の一局面によれば、物体までの距離を測定するためのシステムが提供される。このシステムは、不連続のレーザ光のスポットのパターンを、パルスのシーケンスで物体に向けて投射するように配置された固体光源と、複数の画像素子を含み、上記パルスのシーケンスと同期して、物体によって反射された不連続のスポットのパターンを表わす光を検出するように構成された検出器と、上記検出された光に応答して上記画像素子によって生成された露出値に応じて、物体までの距離を算出するように構成された処理手段とを備える。画像素子は、上記シーケンスの各パルスについて、第１の予め定められた時間ウィンドウの期間中に上記物体によって反射された第１の光量を表わす第１の電荷量と、上記第１の予め定められた時間ウィンドウの後に起こる第２の予め定められた時間ウィンドウの期間中に上記物体によって反射された第２の光量を表わす第２の電荷量と、を蓄積することによって上記露出値を生成するように構成されている。
【００１８】
本発明は、直接飛行時間ベースの測距システムと同じ物理原理、すなわち、光が一定の距離だけ進むのにかかる時間は常に一定であるという事実に依拠する。しかしながら本発明は、伝送され、その後に対象物体によって反射された光パルスが進んだ距離を測定する距離ゲーティングを用いる。とりわけ本発明が依拠するのは、距離ゲーティングと、少なくとも部分的に同時にスポットパターンを投射すること（新規な照射スキームに基づく）と、低出力の半導体光源とを組合わせることによって、大幅に小型化され、完全固体で、かつエネルギ効率のよい長距離の距離検出方法を得ることができるという発明者らの洞察である。ここで用いられる「パターン」という用語は、同時に投射されるスポットの空間的な分布を指す。検出されたスポット反射の３次元空間における位置を測定するためには、測距ステップから得られた距離情報を角度情報と組合わせて、残りの２つの空間座標を固定させることが必要である。画素アレイと好適に配置された光学素子とを含むカメラを用いて、反射が検出された画素を特定することにより、追加の角度情報を提供することができる。
【００１９】
本発明の実施形態がさらに依拠するのは、所望範囲でＬＩＤＡＲシステムの固体光源によって生成されたスポットパターンを使用可能にするためには、光パワーの制約を免れる方法が必要であるという発明者らの洞察である。パルス継続時間を延長することによって、かつ、少なくとも２つの半導体センサウェルまたは少なくとも２つの画素における複数のＶＣＳＥＬ生成光パルスの反射エネルギを統合し、次いで統合された電荷を一度に読出すことによって、固体の実現例を用いて現在可能な動作範囲よりも大幅に動作範囲の広い固体ＬＩＤＡＲシステムを得ることができることを、発明者らは見出した。以下において、「ストレージ」という用語は、光子の検出に応答して電荷が蓄積されるウェルまたは画素を示すために用いられる。
【００２０】
本発明の利点は、固体光源および固体センサ（例えば、ＣＭＯＳセンサ、ＣＣＤセンサ、またはＳＰＡＤアレイなど）が同一半導体基板上に集積され得ることである。固体光源は、ＶＣＳＥＬアレイ、または、所望のパターンを生成するように適合された格子を有するレーザを含み得る。
【００２１】
さらに、２つの連続する時間ウィンドウで検出された反射光エネルギを評価し、当該２つの連続するウィンドウで蓄積された電荷の合計を正規化することによって、調査対象の物体の反射率および環境光の寄与の変化の影響を距離算出アルゴリズムで適切に説明することができる。
【００２２】
画像素子においては、作用する光を表わす電荷がウェルレベルまたは画素レベルで蓄積され得る。ウェルレベルの電荷蓄積の利点は、読出しノイズが最小限に抑えられ、信号対雑音比の改善につながることである。
【００２３】
パルスのシーケンスの送信および検出は、周期的に繰返されてもよい。
本発明に係るシステムの実施形態では、第１の予め定められた時間ウィンドウおよび第２の予め定められた時間ウィンドウは実質的に継続時間が等しく、かつ連続して起こる。
【００２４】
この実施形態の利点は、周辺画素から平均された蓄積環境光を差し引くことによって、距離算出式における環境光の寄与を容易に相殺することができる点である。
【００２５】
特定の実施形態では、複数の画像素子の各々は少なくとも２つの電荷ストレージウェルを含み、上記第１の光量の検出および上記第２の光量の検出は、上記少なくとも２つの電荷ストレージウェルのうちのそれぞれの電荷ストレージウェルで行なわれる。
【００２６】
「電荷ストレージウェル」という用語は、画素に作用する光子の変換によって発生した電荷を蓄積する、半導体基板に設けられたストレージ（例えばコンデンサ）を指す。この特定の実施形態の目的は、信号対雑音比の改善を実現し、センサの全体範囲を広げることである。
【００２７】
本発明の一局面によれば、上述のシステムを備える車両が提供される。この車両は、当該車両を取囲むエリアのうちの少なくとも一部を動作可能にカバーするように配置されている。
【００２８】
本発明に係るシステムは、限定はされないが、ＥＣＵ（電子制御ユニット）などのＡＤＡＳまたは自動運転制御ユニットを備える車両において特に有利である。車両はさらに、車両制御ユニットを含んでもよい。この車両制御ユニットは、システムから測定情報を受信し、ＡＤＡＳ制御または自動運転の決定の情報を用いるように適合されたものである。車両を取囲むエリアの一部とは、車両の前方、側方、または後方の道路表面を含み得る。したがって、このシステムは、アクティブサスペンションまたはセミアクティブサスペンションに用いられる、車の前方の表面の道路形状情報を提供し得る。
【００２９】
本発明の一局面によれば、上述のシステムを備えるカメラが提供される。このシステムは、当該システムから得られた情報に基づいてカメラ画像に３次元情報を付加することによって、３次元画像を作成することを可能にするように適合されている。
【００３０】
本発明の一局面によれば、物体までの距離を測定するための方法が提供される。この方法は、固体光源を用いて、不連続のレーザ光のスポットのパターンを、パルスのシーケンスで物体に向けて投射するステップと、複数の画像素子を含む検出器を用いて、上記パルスのシーケンスと同期して、物体によって反射された上記不連続のスポットのパターンを表わす光を検出するステップと、上記検出された光に応答して上記画像素子によって生成された露出値に応じて、物体までの距離を算出するステップとを含む。画像素子は、上記シーケンスの各パルスについて、第１の予め定められた時間ウィンドウの期間中に上記物体によって反射された第１の光量を表わす第１の電荷量と、上記第１の予め定められた時間ウィンドウの後に起こる第２の予め定められた時間ウィンドウの期間中に上記物体によって反射された第２の光量を表わす第２の電荷量と、を蓄積することによって露出値を生成する。
【００３１】
本発明に係る方法の実施形態では、第１の予め定められた時間ウィンドウおよび第２の予め定められた時間ウィンドウは実質的に継続時間が等しく、かつ連続して起こる。
【００３２】
本発明に係る方法の実施形態では、複数の画像素子の各々は少なくとも２つの電荷ストレージウェルを含み、第１の光量の検出および第２の光量の検出は、上記少なくとも２つの電荷ストレージウェルのうちのそれぞれの電荷ストレージウェルで行なわれる。
【００３３】
本発明に係る方法の実施形態では、投射するステップ、検出するステップ、および算出するステップは周期的に繰返される。
【００３４】
本発明の一局面によれば、プロセッサに、上述の方法を実行させるように構成されたコード手段を含むコンピュータプログラム製品が提供される。
【００３５】
本発明に係るカメラ、車両、方法、およびコンピュータプログラム製品の実施形態の技術的効果および利点は、本発明に係るシステムの対応の実施形態の技術的効果および利点が準用される。
【００３６】
次に、本発明の上記および他の局面および利点を、添付の図面を参照してさらに詳細に説明する。
【図面の簡単な説明】
【００３７】
【図１】本発明に係る方法の実施形態のフローチャートである。
【図２】本発明に係るシステムの実施形態を概略的に示す図である。
【図３Ａ】本発明の実施形態における光の投射および検出のタイミング図である。
【図３Ｂ】本発明の実施形態における光の投射および検出のタイミング図である。
【図３Ｃ】本発明の実施形態における光の投射および検出のタイミング図である。
【図４】対数トーンマッピング（上）および多重線形トーンマッピング（下）によって得られる、入射光パワーに応じた例示的な画素出力のグラフを示す図である。
【図５】高ダイナミックレンジのマルチ出力画素によって得られる、入射光パワーに応じた例示的な画素出力のグラフを示す図である。
【図６】本発明の実施形態に用いられる高ダイナミックレンジ画素の構造を概略的に示す図である。
【図７】本発明の実施形態に用いられる、各々が別個の転送ゲートを有する２つの電荷ウェル（ビン）を含む画素アーキテクチャの実施形態を概略的に示す図である。
【図８】本発明の実施形態に用いられる第１の例示的な光学配置を概略的に示す図である。
【図９】本発明の実施形態に用いられる第２の例示的な光学配置を概略的に示す図である。
【図１０】本発明の実施形態に用いられる第３の例示的な光学配置を概略的に示す図である。
【図１１】第４の例示的な光学配置を概略的に示す図である。
【発明を実施するための形態】
【００３８】
実施形態の詳細な説明
本願出願人の名義である国際特許出願公開ＷＯ２０１５／００４２１３Ａ１に開示されるタイプの周囲検知システムは、広範囲にわたる光景を観察しながら、その光景を同時または部分的にのみ同時に、明確に定義された不連続な多数のスポットで（特に、予め定められたスポットパターンで）照射するという利点を有する。優れた束品質および非常に狭い出力スペクトルを有するＶＣＳＥＬレーザを用いると、昼光の存在下であっても、限られた量の出力パワーで検出範囲を得ることが可能である。ＷＯ２０１５／００４２１３Ａ１のシステムで行なわれる実際の測距は、変位検出（特に三角測量）に依拠する。それは、パワーバジェットに鑑みて必要とされる長い（準定常の）パルス継続時間の文脈において実際に利用可能な、唯一の方法であると理解されていた。今まで、小型の半導体ベースの飛行時間ベースのシステムでは、同等のパワー／性能特性を達成することができなかった。
【００３９】
本発明は、飛行時間ベースのシステムの動作方法を根本的に変えることによって、この限界を克服する。本発明は、個々のパルスの継続時間を増加することによって、かつ、多数の個々のパルスのシーケンスからなる仮想の「合成パルス」を生成することによって、飛行時間型測定毎に放出される光エネルギの総量（したがって、飛行時間型測定毎の検出器での検出に利用可能な光子の数）を増加する。発明者らは、このように拡張したパルスを束ねることによって、所望の動作範囲について低出力のＶＣＳＥＬで必要量の光エネルギ（光子）を得ることができた。
【００４０】
既存のＬＩＤＡＲシステムの個々のパルスの継続時間が１ナノ秒である場合、本発明に係るシステムは、ＶＣＳＥＬなどの半導体レーザの比較的低い出力レベルを部分的に補償するようにパルス継続時間を実質的に長くすることによって、利益を享受する。本発明の実施形態では、シーケンス内の個々のパルスの例示的な継続時間は１マイクロ秒であってもよい（これは説明を明確かつ単純にするために本明細書で選択された１つの可能な値であって、より一般的には、本発明の実施形態において、パルス継続時間は例えば５００ナノ秒以上であってもよく、好ましくは７５０ナノ秒以上、最も好ましくは９００ナノ秒以上であってもよい）。本発明に係る例示的なシステムでは、シーケンスは１０００パルスサイクルから構成されてもよく、したがって継続時間が合計１ミリ秒であってもよい。光が１００ｍ離れた対象まで進んで検出器に戻るのにおよそ０．６６マイクロ秒必要であるという事実を考慮すれば、この程度の距離の測距において、このような継続時間の合成パルスを用いることが可能である。当業者ならば、選択されたパルス幅および所望範囲に応じて必要なパルスサイクル数を調整することが可能であろう。好ましくは、シーケンスの検出は、ＶＣＳＥＬベースの光源と同期して個々のパルスを検出するステップと、読出しの前に、シーケンス全体に対して、画素ウェルレベルで入射する光子に応答して発生する電荷を蓄積するステップとを含む。以下において、シーケンスにわたって統合された電荷を表わす値（したがって、画素における受光量）を称するために「露出値」という用語を用いる。シーケンスの放出および検出は周期的に繰返されてもよい。
【００４１】
本発明は距離ゲーティングを用いて動作する。距離ゲート撮像装置は、パルスの継続時間の間、放出されたパルスの検出された反射パワーを統合する。パルス放出ウィンドウと反射パルスの到達との間の時間の重なり量は、光パルスの戻り時間、ひいてはパルスが進んだ距離に依存する。したがって、統合されたパワーは、パルスが進んだ距離に相関する。本発明は、上述のパルスのシーケンスに適用された距離ゲーティングの原理を用いる。以下の説明では、シーケンスの個々のパルスが画像素子レベルで統合され、それによりシーケンス全体の測定が得られることが暗示的に理解される。
【００４２】
図１は、本発明に係る方法の実施形態のフローチャートを示す。一般性を失うことなく、距離ゲーティングアルゴリズムを参照して測距方法を説明する。第１の時間ウィンドウ１０において、当該方法は、固体光源２１０を含む光源から光景の対象エリア内の任意の物体へ、レーザ光のスポットパターン（例えば、規則的または不規則的な空間的スポットパターン）を投射するステップ１１０を含む。空間的パターンは、パルスのシーケンスで繰返し投射される。
【００４３】
上述のように、固体光源は、ＶＣＳＥＬアレイ、または所望のパターンを生成するように適合された格子を有するレーザを含み得る。システムが最適に動作するために、本発明の実施形態に用いられるＶＣＳＥＬは、距離が長く、かつ環境光（例えば、昼光）が高レベルであっても単位面積当たりのスポットにつき最大の光パワーを放出するように配置されることが好ましい。したがって、良質のビームを有する（Ｍ２因子が低い）レーザが好ましい。さらに好ましくは、レーザの波長の幅は最小限であるべきである。モノモードレーザの場合、特に狭い波長の幅を達成することができる。このように、必要な空間的精度および時間的精度で、実質的に同一のものが複製可能に生成され得る。
【００４４】
パルスが放出されるのと同一時間ウィンドウの期間中、または実質的に重なる時間ウィンドウにおいて、対象物体によって反射されたスポットパターンを表わす第１の光量が、検出器で検出される（１２０）。当該検出器は、光源のできるだけ近くに配置されることが好ましい。フローチャートにおいて、スポットパターンの投射（１１０）およびその反射の第１の検出（１２０）を並べて配置することによって、これらのステップが同時か、またはほぼ同時に起こることを示している。後続の第２の予め定められた時間ウィンドウ２０において、反射された光スポットを表わす第２の光量が検出器で検出される（１３０）。この第２のウィンドウ２０の期間中、固体光源は非アクティブである。物体までの距離は、反射光の第１の光量および反射光の第２の光量に応じて算出される（１４０）。
【００４５】
好ましくは、第１の予め定められた時間ウィンドウ１０および第２の予め定められた時間ウィンドウ２０は、継続時間が実質的に等しい連続するウィンドウである。これにより、検出量のうちの一方が他方から差し引かれることによるノイズおよび環境光の相殺が容易になる。以下では、図３に関連して例示的なタイミングスキームをより詳細に説明する。
【００４６】
検出器は、複数の画像素子を含む。すなわち検出器は、光景の画像（照射されたスポットを含む）を画像素子に投射するように配置された適切な光学素子を有する画像素子アレイからなる。ここで用いられる「画像素子」という用語は、画素の個々の感光性の領域もしくはウェルを指してもよいし、または画素全体（複数のウェルを含み得る。下記参照。）であってもよい。与えられたすべての投射スポットについて、第１の光量の検出１２０および第２の光量の検出１３０は、１つの同一画像素子または複数の画像素子の同一グループで行なわれる。
【００４７】
一般性を失うことなく、各画像素子は、少なくとも２つの電荷ストレージウェル２２１、２２２を含む画素であり得る。それにより、第１の光量の検出１２０および第２の光量の検出１３０が同一画素または同一画素グループのそれぞれの電荷ストレージウェル２２１、２２２で行なわれ得る。
【００４８】
図２は、対象の光景における物体９９に関連する、本発明に係るシステムの実施形態を概略的に表わす。システム２００は、周期的に繰返され得るスポットのシーケンスのパターンを物体９９に投射するための固体光源２１０を含む。検出器２２０は光源の近くに配置され、物体から反射された光を検出するように構成されている。
【００４９】
物体９９から跳ね返る光ビームを、光源２１０から物体９９まで進み、検出器２２０に返る矢印として破線で示す。なお、この図はあくまで概略的なものであり、決して実際の相対距離または角度を示すように意図されたものではない。
【００５０】
同期手段２３０（従来のクロック回路または発振器を含み得る）は、第１の予め定められた時間ウィンドウ１０の期間中に物体にスポットパターンを投射するように固体光源２１０を動作させるとともに、実質的に同時に、物体９９によって反射された光スポットを表わす第１の光量を検出するように検出器２２０を動作させるように構成されている。同期手段２３０はさらに、それぞれの後続の第２の予め定められた時間ウィンドウ２０の期間中に、物体９９から反射された光スポットを表わす第２の光量を検出するように検出器２２０を動作させる。適切な処理手段２４０は、第１の反射光量および第２の反射光量に応じて物体までの距離を算出するように構成されている。
【００５１】
図３は、本発明の実施形態における光の投射および検出のタイミング図を示す。明確にするために、図１で周期的に繰返されるパルスシーケンスのうちの１つのパルスのみを示す。この１つのパルスは、第１の時間ウィンドウ１０および第２の時間ウィンドウ２０からなる。
【００５２】
図３ａから分かるように、第１の時間ウィンドウ１０の期間中は固体光源２１０が「オン」状態であり、光スポットのパターンを周囲に放出する。第２の時間ウィンドウ２０の期間中は固体光源２１０が「オフ」状態である。
【００５３】
反射光の検出器２２０への到達は、進んだ距離に比例する時間（自由空間でおよそ３．３ナノ秒／ｍ）の分だけ投射開始よりも遅れる。この遅れにより、反射光のうちの一部のみが検出器２２０の第１のウェル２２１（第１の時間ウィンドウ１０の期間中にのみアクティブである）で検出される。したがって、アクティブ期間（第１の時間ウィンドウ１０）中に当該第１のウェル内に蓄積された電荷は、反射パルスの到達前に画素に作用するノイズおよび環境光のみを表わす部分と、ノイズ、環境光、および反射パルスの立ち上がりエッジを表わす部分と、からなる。
【００５４】
反射パルスの後者の部分は、検出器２２０の第２のウェル２２２（好ましくは第１の時間ウィンドウ１０の直後に続く第２の時間ウィンドウ２０の期間中にのみアクティブである）で検出される。したがって、アクティブ期間（第２の時間ウィンドウ２０）中に当該第２のウェル内に蓄積された電荷は、ノイズ、環境光、および反射パルスの立ち下がりエッジを表わす部分と、反射パルスの到達後に画素に作用するノイズおよび環境光のみを表わす部分と、からなる。
【００５５】
反射する物体９９とシステム２００との間の距離が長くなるにつれて、第１のウェル２２１において検出されるパルスの比率が小さくなるとともに、第２のウェル２２２において検出されるパルスの比率が大きくなる。
【００５６】
第１のウェル２２１の閉鎖後（すなわち、第１の時間ウィンドウ１０の終了後）に反射パルスの立ち上がりエッジが現れた場合、第２のウェル２２２において検出され得る反射パルスの比率は、飛行時間遅延の増大に伴って減少する。
【００５７】
物体９９の距離を変化させて、結果としてウェル２２１、２２２にそれぞれ生じる電荷Ａ、Ｂの量を図３ｂに示す。図を単純化するために、図３ｂでは、逆二乗則による距離に伴う光の減衰効果を考慮しない。第１の時間ウィンドウ１０および第２の時間ウィンドウ２０の合計継続時間以下の飛行時間遅延については、飛行時間遅延は、原則的には一義的に値ＡおよびＢから得られることが明らかである。
【００５８】
−  第１の時間ウィンドウ１０の継続時間以下の飛行時間遅延については、Ｂは物体９９の距離に比例する。絶対距離の測定を容易に達成するために、正規化された値Ｂ／（Ｂ＋Ａ）を用いてもよい。これにより、検出物体の不完全反射の影響および逆二乗則の影響が排除される。
【００５９】
−  第１の時間ウィンドウ１０の継続時間を超える飛行時間遅延については、Ａは昼光およびノイズの寄与のみからなり（図示せず）、Ｂ〜Ｃは実質的に物体９９の距離に比例する（逆二乗則に関する補正の後）。Ｃはオフセット値である。
【００６０】
図３ａおよび図３ｂは時間ウィンドウ１０において放出された単一のパルスに関して本発明の原理を示しているが、上で定義したように、図示のパルスはパルスのシーケンスの一部であることを理解すべきである。図３ｃは、そのようなシーケンスの例示的なタイミング特性を概略的に示す。図示のように、照射スキーム４０は、個々のパルス１０のシーケンス３０の放出の繰返しからなる。個々のパルス１０の幅は、最大動作範囲によって規定される。シーケンス全体は、例えば６０Ｈｚの周波数で繰返されてもよい。
【００６１】
本発明に係る測距システムを、ＷＯ２０１５／００４２１３Ａ１に係る三角測量ベースのシステムと組合わせてもよい。小型化を目的とする場合、三角測量ベースのシステムでは、プロジェクタと検出器との間の距離が結果的に比較的短くなり、動作範囲が狭くなるであろう。しかしながら、組合わせることによって利益をもたらすのは、まさにその短い距離である。なぜなら、三角測量ベースのシステムは、飛行時間ベースのシステムが十分正確に動作することができない距離をカバーできるからである。
【００６２】
１つまたは複数の検出物体への距離を経時的に監視するために、測距処理全体を反復してもよい。これにより、先進運転支援システム、アクティブサスペンションを備える車両、または自律型車両などの、継続的に検出物体への距離に関する情報を必要とする処理において、当該方法の結果が用いられ得る。
【００６３】
説明されたシステムのすべての要素を最適に動作させるためには、システムが熱的に安定でなければならない。熱的安定によって、とりわけ光学素子の望ましくない波長シフト（熱ドリフト）が回避される。さもなければ、光学フィルタ、および光学チェーンの他の素子の正常な機能が低下するであろう。本発明に係るシステムの実施形態は、それらの設計によって、または、ＰＩＤコントローラを用いた温度制御ループによる能動制御によって、熱的安定を達成する。
【００６４】
ＷＯ２０１５／００４２１３Ａ１は、検出区間中に画素に到達する環境光の量を最小限にすることによって、パターン化されたレーザスポットの検出精度を向上させるためのさまざまな技術を開示している。これらの技術はＬＩＤＡＲシステムの文脈で開示されているわけではないが、本発明の発明者らは、いくつかの当該技術を本発明の実施形態と組合わせた場合に優れた結果が生み出されることを見出した。これが特に当てはまるのは、検出器に狭帯域フィルタを使用し、かつ、反射光がフィルタに対してほぼ垂直に入射することを保証する適切な光学配置を用いた場合である。ＷＯ２０１５／００４２１３Ａ１に示されたこれらの配置の詳細は、参照により本明細書に援用される。さらなる特徴および詳細を以下に示す。
【００６５】
ＷＯ２０１５／００４２１３Ａ１から公知のさまざまな技術を本発明の実施形態に適用することによって、検出区間中に画素に到達する環境光の量を最小限にし得るが、一定量の環境光は回避できない。マルチ画素システムでは、画素のうちのいくつかのみが反射スポットによって照射される一方、他の画素は残留環境光のみによって照射される。画素の後者のグループの信号レベルを用いて、対象画素の信号に対する環境光の寄与を推定し、それに応じて当該寄与を差し引くことができる。追加的または代替的に、背景光または環境光を画素レベルで検出信号から差し引いてもよい。これは、２回の露出、すなわち、レーザパルスの到達期間に１回、パルスが無いときに１回の露出を必要とする。
【００６６】
いくつかの実施形態では、検出器は、高ダイナミックレンジ検出器、すなわち少なくとも９０ｄＢ、好ましくは少なくとも１２０ｄＢのダイナミックレンジを有する検出器であってもよい。そのようなセンサを使用することの利点は、高ダイナミックレンジセンサ、すなわち、光景の最も暗い部分でも強度レベルの十分な弁別を維持しつつ、飽和することなく大量の光子が得られるセンサの存在である。すなわち、非常に長距離でありながら、依然として、飽和することなく短距離（反射光が比較的強い）の物体を検出することができるセンサが可能になる。発明者らは、トーンマッピングを適用したセンサを使用するよりも、真の高ダイナミックレンジセンサを使用した方が有利であることを見出した。トーンマッピングでは、センサ線形範囲が高分解能の方へ圧縮される。文献では、対数圧縮または多重線形圧縮などの、いくつかの圧縮方法が記録されている（図４参照）。しかしながら、この非線形圧縮は、立体情報を抽出するために、取得された光景に対して論理演算または算術演算を行なう前に、信号を再線形化することを必要とする。したがって、本発明に係る解決策は、計算の必要条件を増加させることなく検出精度を向上させる。図５に示すような、完全に線形の高ダイナミックレンジセンサを使用することは、いくつかの実施形態のさらなる利点である。所望のダイナミックレンジ特性を提供することのできる画素アーキテクチャおよび光学検出器が、米国特許出願公開ＵＳ２０１４／３５３４７２Ａ１（特に６５段落〜７３段落および８８段落）に開示されており、その内容は、当業者が本発明の当該局面を実施することを可能にするために、参照により本明細書に援用される。
【００６７】
本発明の実施形態は、高ダイナミックレンジ画素を用いる。これは、フルウェルキャパシティが大きい電荷リザーバ（reservoir）によって、または、画素１つ当たりの電子ノイズを制限する設計によって、または、電荷転送時にノイズを付加しないＣＣＤゲートの使用によって、または、高い検出量子効率（ＤＱＥ：detection quantum efficiency）を有する設計（例えば、表面照射では５０％の範囲、または、裏面薄型化（back thinning）としても公知である裏面照射の場合は９０％）によって、または、図６に示すような特定の設計（下記参照）によって、または、上記列挙された改善策の任意の組合わせによって、得ることができる。さらに、オーバーフロー容量を画素の前面に重ねるように追加することによって（この実現例は裏面薄型化を必要とする）、ダイナミックレンジをさらに拡大することが可能である。好ましくは、画素設計はアンチブルーミング機構を実現する。
【００６８】
図６は、高ダイナミックレンジを有する画素の有利な実現例の概略図である。この図の例では、フローティング・ディフュージョン（floating diffusion）に接続された２つのストレージゲート７、８が使用される。露出の後、光景およびレーザパルスによって発生した電子が、転送ゲート１１を用いてフローティング・ディフュージョン上で転送される。Ｖｇａｔｅ１およびＶｇａｔｅ２のゲート電圧は、ともに高く設定される。次いで電荷が両方のコンデンサにわたって広がり、かなりのフルウェルが実現される。この高フルウェルデータが増幅器との接続を介して読み出されると、電圧Ｖｇａｔｅ２が低く設定される。コンデンサ７の方へ電子が戻り、総画素ゲインが増加する。データは増幅器によって読み出され得る。さらに、後にＶｇａｔｅ１に低電圧を印加することによって、より高いゲインを達成することが可能である。フローティング・ディフュージョン２の方へ電子が戻る。
【００６９】
図７は、ＣＭＯＳ技術で使用される想定画素の実現可能なデュアルウェル（dual-well）またはデュアルビン（dual-bin）の実現例を示す。作用する信号は、２つの電荷ストレージに分配される。各リザーバは、レーザソースのパルスと同期する外部パルスによって制御される別個の転送ゲートを有する。
【００７０】
図８〜図１０は、本発明の実施形態で使用され得るカメラを示す。このカメラにおいて、光照射源は単色光を放出し、少なくとも１つの検出器は、対応の狭帯域フィルタおよび光学素子を備える。これらの狭帯域フィルタおよび光学素子は、当該狭帯域フィルタへの入射角を変更するように配置されている。これにより、上記入射角は、上記狭帯域フィルタの主面の法線周辺の予め定められた範囲に限定される。上記光学素子は、像空間テレセントリックレンズを含む。「カメラ」という用語は、ここではセンサと、関連光学素子（レンズ、レンズアレイ、フィルタ）との組合わせとして用いられる。特に、図９では、光学素子は、像空間テレセントリックレンズと上記少なくとも１つの検出器との間に配置されたミニレンズアレイをさらに含み、ミニレンズアレイの個々のミニレンズは、上記少なくとも１つの検出器の個々の画素のそれぞれの感光性領域に入射光を集束させる。このような１画素当たり１つのミニレンズの配置の利点は、画素の感光性部分にすべての入射光を光学的に誘導することによって、下にあるセンサのフィルファクタによる損失を減少させることができる点である。
【００７１】
これらの例すべてにおいて、照射線がフィルタ媒体を通過して実質的に等しい長さだけ進むことになる。すなわち換言すれば、入射した照射線はフィルタ面に対して実質的に垂直である。すなわちそれは、フィルタ面の法線周辺の予め定められた範囲内の入射角に限定される。これにより、例えば昼光、日光をフィルタにかけ、スポットが昼光を上回るように狭帯域幅内に正確にフィルタリングすることが可能になる。
【００７２】
車両周囲の空間全体が限られた数のセンサ、例えば８個のセンサで監視され、その結果入射光線が例えば１×１ラドの立体角に広がり得る本発明の実施形態において、入射角の補正は特に重要である。図８は、このタイプの第１の光学配置を概略的に示す。第１の光学配置は、像空間テレセントリック構成で、およそ等しい焦点距離ｆを有する第１のレンズ１０３０と第２のレンズ１０４０とを含む。これは、すべての主光線（開口絞りの中央を通過する光線）が像平面に対して垂直であることを意味する。例示的な開口数である０．１６は、円錐角９．３°（円錐角の半分）に対応する。したがって、レンズシステム１０３０〜１０４０とセンサ１０２との間に配置された狭帯域フィルタ１０６０への最大の入射角は、９．３°であろう。
【００７３】
図９に示すように、好ましい設計は、像空間テレセントリック構成（構成は、オプションとして物空間テレセントリックであってもよい）で、およそ等しい焦点距離ｆを有する縦に並んだ２つのレンズ１１３０、１１４０と、平面的に並べられたミニレンズアレイ１１５０と、スペクトルフィルタ１１６０と、ＣＭＯＳ検出器１０２と、からなる。第１のレンズ１１３０の中心Ｏは第２のレンズ１１４０の焦点であるので、Ｏを横切るすべての光線は、第２のレンズ１１４０によって光軸に平行な方向に屈折する。ここで、第１のレンズ１１３０の焦点距離と比較して非常に離れた位置の特定のレーザスポットＳ１１１０について考える。第１のレンズ１１３０による当該スポット１１１０の像は、このレンズの焦平面近く、例えば第２のレンズ１１４０のちょうど中央面に位置する点Ｐである。スポットＳ１１１０から放出されて第１のレンズ１１３０によって取込まれた光線は、第２のレンズ１１４０における点Ｐに向かって集束する光円錐を形成する。当該光円錐の中心軸は点Ｏを横切り、光軸に平行、つまりスペクトルフィルタ１１６０に垂直に屈折することにより、最適な分光感度を達成する。したがって、第２のレンズ１１４０は、入射光ビームの角度を補正するためのレンズとして機能する。第２のレンズ１１４０の後方にある小さな凸状のミニレンズ１１５０（点Ｐがミニレンズ１１５０の焦点に位置する）を用いることによって、円錐の他の光線が光軸に平行な光線の束として屈曲することもできる。このように、スポットＳ１１１０のすべての結像光線は、スペクトルフィルタにほぼ垂直の方向に屈曲する。これは、すべての画素の前に位置付けられたミニレンズのアレイを用いることによって、ＣＭＯＳ検出器のすべての画素の前で個々に行なわれ得る。この構成では、ミニレンズは像テレセントリック機能を有する。主な利点は、ミニレンズ１１５０における局部補正光学素子によって、球面収差の増大を相殺しつつ、第１のレンズ１０３０の瞳を拡大することができ、またはアパーチャを除去することができる。このように、センサアセンブリの感度を高めることができる。平行光線を集束させて画素のフォトダイオードに戻すことによってフィルファクタを最大化するために、スペクトルフィルタ１１６０とＣＭＯＳ画素１０２との間に第２のミニレンズアレイ（図１１には図示せず）を追加してもよい。
【００７４】
第１および第２のレンズ１１３０、１１４０として、市販されているレンズを使用してもよい。当業者ならば、性質が類似する他のスマートフォンカメラまたはウェブカメラで典型的に用いられるレンズも使用され得ることを理解するであろう。前述のアイサイト（ｉＳｉｇｈｔ）カメラは、８メガピクセルの６×３ｍｍＣＭＯＳセンサ、１．５μｍの画素サイズ、ｆ／２．２の非常に大きなアパーチャ、約ｆ＝７ｍｍの対物焦点距離、および約３．２ｍｍの瞳直径を有する。視野角は、１ラド×１ラドのオーダーである。カメラの分解能がおおよそ画素サイズ（１．５ミクロン）であるとすると、レンズの収差は、アパーチャによって選択される視野角のすべての光線について補正されると結論付けることができる（アッベの法則より）。
【００７５】
図１０は、図１１の配置の変形例を示しており、１つのリソグラフ処理で製造するために最適化されている。第１のレンズ１２３０は前述の実施形態の第１のレンズ１１３０に類似するが、角度を補正する第２のレンズ１１４０は、同じ焦点距離ｆを有するフレネルレンズ１２４０で置換され、ミニレンズアレイ１１５０はフレネルレンズアレイ１２５０で置換されている。利点は、それらが完全に平らで、（別個のフェーズゾーンで）ナノエレクトロニクス技術によって製造可能である点である。平行光線を集束させて画素のフォトダイオードに戻すことによってフィルファクタを最大化するために、スペクトルフィルタ１２６０とＣＭＯＳ画素１０２との間に第２のミニレンズアレイ１２７０を追加してもよい。つまり、カメラは本質的にはアイサイト（ｉＳｉｇｈｔ）としての標準カメラであるが、ＣＭＯＳセンサは特別に設計された多層センサによって置換されている。この多層センサは、すべての構成要素が同じリソグラフ処理内で１つの一体化ブロックとして製造される。この多層センサは、大量生産すると安価であり、小型で丈夫であり、位置合わせの必要がない。これらの５つの層１２４０、１２５０、１２６０、１２７０、１０２の各々は、本発明によって課される要件を満たすための独自の機能を有する。
【００７６】
直径ｄのレンズによって作られた円錐の最小角度はλ／ｄのオーダーであり（λは光の波長）、ミニレンズ直径ｄ＝８．５μｍおよびλ＝８５０ｎｍの場合の最小円錐角は、１／１０ラジアンである。高品質のスペクトル干渉フィルタを用いると、これは約３ｎｍのスペクトルウィンドウに対応する。
【００７７】
図１１は、狭帯域フィルタ１３２０が内側（図示）または外側（図示せず）に配置されたドーム１３１０（例えば、湾曲したガラス板）を備える代替的な光学配置を示す。フィルタ１３２０をドーム１３１０の内側に配置することの利点は、ドーム１３１０がフィルタ１３２０を外部の力から保護する点である。ドーム１３１０およびフィルタ１３２０が光学的に協働することによって、ドームの表面に実質的に垂直な方向に沿って入射光がフィルタ１３２０を通過することが保証される。ドームフィルタアセンブリとセンサ１０２との間に魚眼光学素子１３３０が設けられる。それはＣＭＯＳセンサまたはＣＣＤセンサまたはＳＰＡＤアレイであり得る。魚眼光学素子１３３０は、ドームフィルタアセンブリを通過した光をセンサの感光性領域に向けて誘導するように配置されている。
【００７８】
オプションとして、プロジェクタに他の魚眼光学素子が設けられる。特定の実施形態では、複数のＶＣＳＥＬが１×ｎ配列またはｍ×ｎ配列で搭載されている。それによって、高さｍ×１ラドおよび幅ｎ×１ラドの空間的角度にわたるレーザビームの出口角を実現することができる。
【００７９】
本発明のいくつかの実施形態では、段階的または可変の減衰フィルタを検出器に適用することによって、深さ範囲全体にわたってスポットの強度を実質的に一定に保つことができる。代替的または追加的には、検出器から遠く離れたスポットの強度を十分な強度で受信しながら検出器に近いスポットの強度を弱くするために、非対称レンズ瞳も設けられてもよい。このようにして、検出器のクリッピングが回避され、全てのスポットについて平均強度を実質的に同一にすることができる。
【００８０】
いくつかの実施形態では、照射源は、異なるゾーンに分割可能なＶＣＳＥＬであってもよく、それによって、当該異なるゾーンについてレーザのオン時間が制御される。したがって、スポットの画像は、一定の強度、例えばＡ／Ｄ範囲の２／３を有するように制御され得る。代替的に、やはり一定の強度を得るために、高さに応じてスポットのアレイにわたって駆動電圧が駆動されてもよい。このような制御は、飽和回避サーボループと称され得る。アレイ内の異なるＶＣＳＥＬは強度に関して個別に制御されてもよく、同時に投射しながら個々のＶＣＳＥＬの強度のパターンを変化させてもよい。
【００８１】
本発明のいくつかの他の実施形態では、＋９°〜−９°の入射角の範囲内で照射線がフィルタに対して入射するように、狭帯域フィルタの前でマイクロプリズムマトリックスが使用され得る。これは、狭帯域幅フィルタリングを得ることを可能にする。プリズムマトリックスは、例えばプラスチック成形によって作製されてもよい。
【００８２】
例えばアクティブサスペンション車両用途が想定される本発明の実施形態では、スポットパターンの投射は、有利に下向き、すなわち道路の方に向けられる。
【００８３】
本発明に係るシステムは、上述の方法のステップを、専用ハードウェア（例えばＡＳＩＣ）、構成可能なハードウェア（例えばＦＰＧＡ）、プログラム可能なコンポーネント（例えば、適切なソフトウェアを用いるＤＳＰまたは汎用プロセッサ）、またはこれらの任意の組合わせで実現することを含み得る。同じコンポーネントが他の機能も含んでもよい。本発明は、上述の方法のステップを実現するコード手段を含むコンピュータプログラム製品にも関する。当該製品は、光学媒体、磁気媒体、または固体媒体としてのコンピュータ読取可能媒体で提供されてもよい。
【００８４】
本発明は、上述のシステムを含む車両にも関する。
【産業上の利用可能性】
【００８５】
本発明の実施形態は、限定はされないが、自動車用途、工業用途、ゲーム用途など（屋内外の両方、短距離または長距離）を含む、多岐にわたる用途で好都合に用いられ得る。いくつかの用途では、本発明の実施形態に係る異なるセンサを組合わせて（例えば、デイジーチェーン方式）、好ましくは一周（３６０°視野）にわたるパノラマのカバー範囲を作り出してもよい。
【００８６】
別個のシステムおよび方法の実施形態を参照して本発明を上で説明したが、明確化のためにそのようにしたに過ぎない。システムまたは方法のみに関して説明した特徴はそれぞれ方法またはシステムに適用可能であり、同じ技術的効果および利点を有することを当業者ならば理解するであろう。さらに、本発明の範囲はこれらの実施形態に限定されず、添付の特許請求の範囲によって規定される。
【図１】
2018531374.tif 000003
【図２】
2018531374.tif 000004
【図３Ａ】
2018531374.tif 000005
【図３Ｂ】
2018531374.tif 000006
【図３Ｃ】
2018531374.tif 000007
【図４】
2018531374.tif 000008
【図５】
2018531374.tif 000009
【図６】
2018531374.tif 000010
【図７】
2018531374.tif 000011
【図８】
2018531374.tif 000012
【図９】
2018531374.tif 000013
【図１０】
2018531374.tif 000014
【図１１】
2018531374.tif 000015
【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
物体までの距離を測定するためのシステム（２００）であって、
−  不連続のレーザ光のスポットのパターンを、周期的に繰返されるパルスのシーケンスで前記物体に向けて投射するように配置された固体光源（２１０）と、
−  複数の画像素子を含み、前記パルスのシーケンスと同期して、前記物体によって反射された前記不連続のスポットのパターンを表わす光を検出するように構成された検出器（２２０）と、
−  前記検出された光に応答して前記画像素子によって生成された露出値に応じて、前記物体までの前記距離を算出するように構成された処理手段（２４０）とを備え、
前記画像素子（２２０）はＣＭＯＳ技術で提供され、
前記画像素子（２２０）の各々は、各々が別個の転送ゲートを有する少なくとも２つの電荷ウェルと、アンチブルーミング機構とを含み、
前記画像素子（２２０）は、前記シーケンスのパルスのうちのすべてについて、第１の予め定められた時間ウィンドウ（１０）の期間中に前記物体によって反射された第１の光量を表わす第１の電荷量と、前記第１の予め定められた時間ウィンドウ（１０）の後に起こる第２の予め定められた時間ウィンドウ（２０）の期間中に前記物体によって反射された第２の光量を表わす第２の電荷量と、を蓄積することによって前記露出値を生成するように構成されており、
前記第１の予め定められた時間ウィンドウおよび前記第２の予め定められた時間ウィンドウは実質的に継続時間が等しく、かつ連続して起こり、
前記第１の光量の検出および前記第２の光量の検出は、前記少なくとも２つの電荷ストレージウェルのうちのそれぞれの電荷ストレージウェルで行なわれる、システム。
【請求項２】
請求項１に記載のシステム（１００）を備える車両であって、
前記車両は、当該車両を取囲むエリアのうちの少なくとも一部を動作可能にカバーするように配置されている、車両。
【請求項３】
請求項１から２のいずれか１項に記載のシステム（１００）を備えるカメラであって、
前記システム（１００）は、前記システムから得られた情報に基づいてカメラ画像に３次元情報を付加することによって、３次元画像を作成することを可能にするように適合されている、カメラ。
【請求項４】
物体までの距離を測定するための方法であって、
−  固体光源（２１０）を用いて、不連続のレーザ光のスポットのパターンを、周期的に繰返されるパルスのシーケンスで前記物体に向けて投射するステップ（１１０）と、
−  複数の画像素子を含む検出器（２２０）を用いて、前記パルスのシーケンスと同期して、前記物体によって反射された前記不連続のスポットのパターンを表わす光を検出するステップ（１２０；１３０）と、
−  前記検出された光に応答して前記画像素子によって生成された露出値に応じて、前記物体までの前記距離を算出するステップ（１４０）とを含み、
前記画像素子（２２０）はＣＭＯＳ技術で提供され、
前記画像素子（２２０）の各々は、各々が別個の転送ゲートを有する少なくとも２つの電荷ウェルと、アンチブルーミング機構とを含み、
前記画像素子（２２０）は、前記シーケンスのパルスのうちのすべてについて、第１の予め定められた時間ウィンドウ（１０）の期間中に前記物体によって反射された第１の光量を表わす第１の電荷量と、前記第１の予め定められた時間ウィンドウ（１０）の後に起こる第２の予め定められた時間ウィンドウ（２０）の期間中に前記物体によって反射された第２の光量を表わす第２の電荷量と、を蓄積することによって前記露出値を生成し、
前記第１の予め定められた時間ウィンドウおよび前記第２の予め定められた時間ウィンドウは実質的に継続時間が等しく、かつ連続して起こり、
前記第１の光量の検出および前記第２の光量の検出は、前記少なくとも２つの電荷ストレージウェルのうちのそれぞれの電荷ストレージウェルで行なわれる、方法。
【請求項５】
前記投射するステップ（１１０）、前記検出するステップ（１２０；１３０）、および前記算出するステップ（１４０）は周期的に繰返される、請求項４に記載の方法。
【請求項６】
プロセッサに、請求項４から５のいずれか１項に記載の方法を実行させるように構成されたコード手段を含むコンピュータプログラム製品。
【国際調査報告】
2018531374.tif 000016
2018531374.tif 000017
2018531374.tif 000018